(57)【特許請求の範囲】
【請求項１】
押しボタンとばねによりスライドピースが移動復元可能なスライドピース作動機構と、該スライドピースとばねによりケース開口から出没可能なラッチを有するラッチ作動機構とを有し、扉を閉じたときに自動的に施錠されて外側から開けることができなくなる施錠装置を扉に取付け；グレビティヒンジの下部ヒンジに形成した傾斜面と、該傾斜面の内周線から上方へ突出する軸杆と、前記傾斜面と一致する傾斜を有する傾斜面を形成した上部ヒンジとから成り、前記の軸杆を上部ヒンジに設けた中心孔に遊嵌させたグレビティヒンジを扉に取付け；扉が全閉位置に向かって回動したときでも、粘性流体の制動力により、扉が全閉位置に到達することを防止し、これにより前記施錠装置が自動的に施錠されることを防止することができる負荷ヒンジを扉に取付けたことを特徴とする開閉扉。
【発明の詳細な説明】
【０００１】
【発明の属する技術分野】
本発明は、主として例えば駅、公園、病院、老人ホーム等の便所その他の場所に取付けられる開閉扉の改良に関する。
【０００２】
【従来の技術】
公衆便所の扉は自開の内開きが多く、扉を閉めてから施錠操作が必要である。また、扉を閉めると自動的に施錠される錠には、内外共に、解錠するためのハンドルが付いているから公衆便所用としては不向きである。しかし、扉を閉めると自動的に施錠される錠は操作性が楽であり、衛生面で、錠（ハンドル）にできるだけ手を触れないで済み、また、身体障害者が扉を閉め易いという利点がある。健常者が公衆便所から出るときに無意識に扉をバターンと閉じたりすると、扉は自動的に施錠されて外から開けることができなくなってしまう。
また、いわゆるグレビティヒンジ（実公平２−４３１８３号公報、実公平２−４３１８４号公報）は、図６に示すとおり、公衆便所の不使用時に扉を僅かな角度θだけ偏った位置で静止させることができるのでトイレが空いていることを目視できると共に、便器が外から見えないという利点がある反面、小さい外力（例えば風）の作用で扉が閉じると自動的に施錠されてしまうという難点があった。
【０００３】
【発明が解決しようとする課題】
本発明は、扉を閉めると自動的に施錠される錠を取付けた開閉扉について、その使い勝手を一層向上させることを目的とする。
【０００４】
【課題を解決するための手段】
前記の目的を達成するために、本発明の開閉扉は、押しボタンとばねによりスライドピースが移動復元可能なスライドピース作動機構と、該スライドピースとばねによりケース開口から出没可能なラッチを有するラッチ作動機構とを有し、扉を閉じたときに自動的に施錠されて外側から開けることができなくなる施錠装置を扉に取付け；グレビティヒンジの下部ヒンジに形成した傾斜面と、該傾斜面の内周線から上方へ突出する軸杆と、前記傾斜面と一致する傾斜を有する傾斜面を形成した上部ヒンジとから成り、前記の軸杆を上部ヒンジに設けた中心孔に遊嵌させたグレビティヒンジを扉に取付け；扉が全閉位置に向かって回動したときでも、粘性流体の制動力により、扉が全閉位置に到達することを防止し、これにより前記施錠装置が自動的に施錠されることを防止することができる負荷ヒンジを扉に取付けたことを特徴とする。
【０００５】
【発明の実施の形態】
本発明に係る施錠装置は扉を閉じたときに自動的に施錠される錠であり、ひとたび施錠されると外側からは開けることができない錠である。そのような錠の１例を本出願人は特願２０００−３７３５７５号（特開２００２−        号公報）として特許出願した。その施錠装置はスライドピース作動機構１とラッチ作動機構２とから成る。図１に示すとおり、スライドピース作動機構１は固定部材Ｗ１の内側に取り付けられ、ラッチ作動機構２は扉Ｄの内側に取り付けられている。
【０００６】
図２は施錠装置の分解図である。スライドピース作動機構１のケース１１に開けられた窓に押しボタン１２が進退自在に嵌合しており、人が押しボタン１２を押すと押込まれるが、指を放すとバネ１３により元の位置に復帰する。押しボタン１２の端部には傾斜面が形成されているのでスライドピース１４はバネ１５の弾力に抗して矢印ａの方向へ移動させられるが、人が押しボタン１２を放すと、スライドピース１４はバネ１５の復元力によりもとの位置に戻る。
ラッチ作動機構２のケース２１には開口２２が穿設され、ラッチ２３は開口２２を出没自在であり、常時はバネ２４により付勢されて開口２２から突出した状態を保つ。人が扉Ｄを閉じる方向へ押して、ラッチ２３がスライドピース作動機構１のケース１１に当接すると、ラッチ２３には斜面２３ａが形成されているのでラッチ２３はバネ２４の付勢に抗して開口２２内に没するが、扉Ｄが完全に閉じたときに、ラッチ２３はバネ２４の復元力により矢印ｂの方向へ移動してケース１１の開口１１ａから進入して自動的に施錠される。この状態において、扉の外側にいる人は扉Ｄを開けることはできない。
【０００７】
扉Ｄの内側にいる人が押しボタン１２を押すと、スライドピース１４が矢印ａ方向に移動してラッチ２３を矢印ｃ方向へ押すので解錠され、扉Ｄはグレビティヒンジの作用（後述）により内側へ開く。
扉Ｄの下部にグレビティヒンジ３が取り付けられている。グレビティヒンジ３は上部ヒンジ３１と下部ヒンジ３２から成る。
図３は、本発明の扉に取付けるグレビティヒンジの分解図であり、（ａ）は上部ヒンジの斜視図、（ｂ）は下部ヒンジの斜視図、（ｃ）は（ａ）のＸ−Ｘ断面図である。
下部ヒンジ３２に円筒部３２ａと取付板３２ｂが形成され、取付板３２ｂは固定部材Ｗ２に取付けられる。下部ヒンジ３２の上部に筒状体３３が嵌入され、筒状体３３の上端は傾斜面３４に形成されている。筒状体３３には内孔３５が穿設されていて、内孔３５に軸杆３６が上方へ突出している。
上部ヒンジ３１に円筒部３１ａと取付板３１ｂが形成され、取付板３１ｂは扉Ｄに取付けられる。円筒部３１ａの内部に内部部材３８が嵌入され、内部部材３８には軸杆３６と係合する挿入孔３８ａと筒状体３３の傾斜面３４に適合する傾斜面３８ｂが形成されている。
筒状体３３の傾斜面３４と上部ヒンジ３１の傾斜面３８ｂとが接触している状態にあるときは上部ヒンジ３１（すなわち扉Ｄ）が最も低い位置にあり、扉Ｄを開いたり閉じたりするに従って上部ヒンジ３１はせり上がって行くが、人が扉Ｄから手を放すと、扉Ｄの自重により元の位置に復する。筒状体３３の傾斜面３４の外周線（楕円）の最低点Ｐと内周線（楕円）の最低点Ｑとを結ぶ線分ＰＱの延長線をＬとすると、直線Ｌと固定部材Ｗ２とのなす角θ（図６）を所望の値に選択することができる。
【０００８】
図４は負荷ヒンジ４を示し、４１は上部ヒンジ、４２は下部ヒンジである。図５は負荷ヒンジの分解図である。
下部ヒンジ４２に円筒部４２ａと取付板４２ｂが形成され、取付板４２ｂは固定部材Ｗ２に取付けられる。円筒部４２ａの内部に底板４３とケース４４が嵌入されている。回転部４５は異形部４５ａとベーン４５ｂから成り、ケース４４内に粘性流体（例えばシリコンオイル）が充填されている。ケース４４の上端は蓋４６と異形部４５ａの下端によって密閉される。
上部ヒンジ４１に円筒部４１ａと取付板４１ｂが形成され、取付板４１ｂは扉Ｄに取付けられる。異形部嵌合部材４７には回転部４５の異形部４５ａと係合する異形部嵌合孔４７ａが設けられており、異形部嵌合部材４７は円筒部４１ａの内部に嵌合される。
４８は異形部嵌合部材４７の回り止め用のねじであり、４９はケース４４の回り止め用のねじである。
【０００９】
図１において符号５は通常のヒンジを示す。しかし、扉の回動に対する制動力を増大させるために、負荷ヒンジ３のほかに、ヒンジ５も負荷ヒンジにしてもよい。また、本実施例においては扉の下部に取付けたヒンジ３をグレビティヒンジとして説明したが、扉の上部に取付けるヒンジ４をグレビティヒンジにして、扉の下部のヒンジ３を負荷ヒンジにすることもできる。このように、注文主の希望、扉の重さ、その他の条件に応じて最適の機能を発揮することができるようにヒンジの種類や数を適宜選定することができる。
【００１０】
扉に取付けられる施錠装置の実施例を段落［０００５］及び［０００６］において説明したが、必ずしも、これに限定されるものではない。本発明は、扉が閉じたときに自動的に施錠される錠が取付けられた扉に対してひとしく適用することができる。
【００１１】
【発明の効果】
本発明は下記（１）ないし（３）の効果を兼ね備えている。
（１）本発明に係る施錠装置は、扉Ｄを閉じたときに自動的に施錠されるから、指でいちいち掛金を操作する必要が全くない。
（２）下部ヒンジ３２の傾斜面３４とこれに合致する上部ヒンジ３１の傾斜面３８ｂからなるいわゆるグレビティヒンジ３を用いたので、傾斜面３４、３８ｂの設置方向を調節することにより扉の静止位置を選択設定することができ、これによりトイレ等が不使用状態にあることを簡単に目視することができる。
（３）負荷ヒンジ４を用いたので、扉Ｄが風などの要因により全閉位置へ向かって回動したときでも、粘性流体の制動力により、扉Ｄは全閉位置まで到達することができず、したがって施錠装置が施錠されるおそれは皆無である。
【図面の簡単な説明】
【図１】本発明に係る扉の全体図である。
【図２】本発明の扉に取付ける施錠装置の分解図である。
【図３】本発明の扉に取付けるグレビティヒンジの分解図であり、（ａ）は上部ヒンジの斜視図、（ｂ）は下部ヒンジの斜視図、（ｃ）は（ａ）のＸ−Ｘ断面図である。
【図４】本発明の扉に取付ける負荷ヒンジの分解図である。
【図５】本発明の扉に取付ける負荷ヒンジの分解図である。
【図６】不使用時における扉の静止位置を示す説明図である。
【符号の説明】
１  施錠装置
３  グレビティヒンジ
４  負荷ヒンジ
３１  上部ヒンジ
３２  下部ヒンジ
３４  傾斜面
３６  軸杆
３８ｂ  傾斜面
４１  上部ヒンジ
４２  下部ヒンジ
４５  回転部
４５ｂ  ベーン
【図１】
0003671349.tif 000002
【図２】
0003671349.tif 000003
【図３】
0003671349.tif 000004
【図４】
0003671349.tif 000005
【図５】
0003671349.tif 000006
【図６】
0003671349.tif 000007